(57)【要約】【課題】積層しているカードから先頭のカードをピックアップするカードの供給において、カードピックアップ時に、カード集積部のカード同士の張り付き力を軽減させ、重送の不具合が無いカード供給装置を提供することを目的とする。【解決手段】カードホッパー部と、カード搬送部とを有し、いずれかの部位においてカードに接する部分を超音波振動させる機構を有することを特徴とするカード供給装置。前記カードホッパー部を超音波振動させていることを特徴とするカード供給装置。前記カード搬送部が、搬送爪か、搬送ローラーのいずれかで構成されていて、それを超音波振動させていることを特徴とするカード供給装置。カード押圧部を有し、カード押圧部の押さえ板を超音波振動させる機構を有することを特徴とするカード供給装置。【選択図】図１
2019085240.tif 000002
【特許請求の範囲】
【請求項１】
カード供給装置であって、
カードホッパー部と、
カード搬送部と、
を有し、いずれかの部位においてカードに接する部分を超音波振動させる機構を有することを特徴とするカード供給装置。
【請求項２】
前記カードホッパー部を超音波振動させていることを特徴とする請求項１記載のカード供給装置。
【請求項３】
前記カード搬送部が、搬送爪か、搬送ローラーのいずれかで構成されており、それを超音波振動させていることを特徴とする請求項１記載のカード供給装置。
【請求項４】
カード押圧部を有し、前記カード押圧部はカード集積部の後端のカードを付勢力によって押圧する押さえ板からなり、前記押さえ板を超音波振動させる機構を有することを特徴とする請求項１または請求項３記載のカード供給装置。
【発明の詳細な説明】
【技術分野】
【０００１】
本発明は、カードプリンターなどのカード供給装置に関する。
【背景技術】
【０００２】
カードプリンターなどにおいては、印刷前の複数のカードが積層状態にして装填され、この部位の複数のカードの内、先頭に位置するカード１枚だけを次工程に送る送り出し機構が備えられているカード供給装置がある（特許文献１参照）。
【先行技術文献】
【特許文献】
【０００３】
【特許文献１】特許４４９５８１１号公報
【発明の概要】
【発明が解決しようとする課題】
【０００４】
図５に従来のカード供給装置２００の概略断面図を示す。カードホッパー部３の中のカード集積部２においてカード１が積層しており、先頭のカード１にはカード搬送部２６の搬送爪２５が接している。搬送爪２５はカード１の厚みよりも少ない高さの爪を有しており、爪でカード１端部に接し、搬送爪２５は、カード１を載せながら、爪でカード１端部を押し、カードを搬送し、カードプリンター本体３０に、カード排出口９から、カード１を供給する。
【０００５】
カード集積部２においては、カードを水平にして、積み重ねる状態になっており、カードの自重でもってカード間は押されている。カード間の張り付きが少ない場合は、カード搬送部２６の搬送爪２５は、先頭のカード１のみを、カード排出口９に供給するが、自重によるカード圧力で、カード間の張り付きがおこり、カードが送れないことやカードが重送される事態も起こった。
【０００６】
また別の従来技術を説明する。図６にカード供給装置２０１の概略断面図を示す。カードホッパー部３の中のカード集積部２においてカード１が積層しており、先頭のカード１にはカード搬送部８の搬送ローラー５５が接しており、カード１を搬送ローラー５５が押圧しながら回転することにより、カード集積部２の先頭のカード１がカード排出口９からカードプリンター本体２０などの次工程に送り出される（特許文献１参照）。
【０００７】
カード押圧部２０は、付勢力２２によってカード集積部２の後端のカード１を押さえ板２１によって押圧し、カード１同士を密着させながら、カード集積部２のカード１群を、カード排出口９側に寄せる。
【０００８】
搬送ローラー５５は、中心にローラー軸６があり、ローラー軸６の周りにゴムなどの弾性材料７から構成される。搬送ローラー５５によって、カード集積部２の先頭のカード１がカード排出口９からカードプリンター本体３０などの次工程に送り出される。しかしながら、このようなカード送り出し機構においては、先頭に位置するカード１枚だけを送りだす時に、積層状態になったカードにおいてカードとカードの面同士が張り付いて、カードが送り出せないことがあった。また、先頭とその隣のカードが密着した状態で同時にピックされてしまう（重送）こともあった。
【０００９】
カードを積層した場合の張り付きは、カードの面同士が静電気や鏡面密着や表面融着により起こることが考えられる。カード集積部のカード同士の張り付き力を軽減させられれ
ば、搬送爪あるいは搬送ローラーによってカードピックアップするときに、重送なくカードを送り出すことができる。
【００１０】
本発明では、積層しているカードから先頭のカードをピックアップするカードの供給において、カードピックアップ時に、カード集積部のカード同士の張り付き力を軽減することにより、重送の不具合が無いカード送り出しを実現するカード供給装置を提供することを目的とする。
【課題を解決するための手段】
【００１１】
本発明は上記課題を解決するためになされたもので、本発明の請求項１に係る発明は、カード供給装置であって、カードホッパー部と、カード搬送部とを有し、いずれかの部位においてカードに接する部分を超音波振動させる機構を有することを特徴とするカード供給装置である。
【００１２】
本発明の請求項２に係る発明は、前記カードホッパー部を超音波振動させていることを特徴とする請求項１記載のカード供給装置である。
【００１３】
本発明の請求項３に係る発明は、前記カード搬送部が、搬送爪か、搬送ローラーのいずれかで構成されており、それを超音波振動させていることを特徴とする請求項１記載のカード供給装置である。
【００１４】
本発明の請求項４に係る発明は、カード押圧部を有し、前記カード押圧部はカード集積部の後端のカードを付勢力によって押圧する押さえ板からなり、前記押さえ板を超音波振動させる機構を有することを特徴とする請求項１または請求項３記載のカード供給装置である。
【発明の効果】
【００１５】
積層しているカードから先頭のカードを送り出すカードの供給において、カード送り出す時に、カード集積部のカード同士の張り付き力を軽減することにより、重送の不具合が無いカード送り出しを行うカード供給装置を提供できる。
【図面の簡単な説明】
【００１６】
【図１】本発明に係るカード供給装置の概略断面図である。
【図２】本発明に係るカード供給装置の概略断面図である。
【図３】本発明に係るカード供給装置の概略断面図である。
【図４】本発明に係るカード供給装置の概略断面図である。
【図５】従来のカード供給装置の概略断面図である。
【図６】従来のカード供給装置の概略断面図である。
【発明を実施するための形態】
【００１７】
＜実施形態１＞
以下、本発明のカード供給装置について添付図面を参照して説明する。
【００１８】
図１は本発明のカード供給装置１００の実施形態を示す概略断面図である。
【００１９】
カード供給装置１００は、カード１が密接するカード集積部２を内包するカードホッパー部３と、カードホッパー部３の外壁に接続される超音波振動発生機４０と、カード集積部２の先端部のカード１に接している搬送爪２５から構成されるカード搬送部２６と、カード排出口９から構成される。
【００２０】
カードホッパー部３の中のカード集積部２においてカード１が積層しており、先頭のカード１にはカード搬送部２６の搬送爪２５が接している。
【００２１】
カードホッパー部３の外壁には超音波振動発生機４０が接続されており、超音波振動をカードホッパー部３に与える。
【００２２】
搬送爪２５はカード１の厚みよりも少ない高さの爪を有しており、爪でカード１端部に接し、搬送爪２５は、カード１を載せながら、爪でカード１端部を押し、カードを搬送し、カードプリンター本体３０に、カード排出口９から、カード１を供給する。
【００２３】
搬送爪２５によって、カード１をカードピックアップするときに、隣接しているカード１には、カードホッパー部３の外壁に接続されている超音波振動発生機４０からの超音波振動が伝播され、隣接したカード１の張り付きを振動により軽減することができる。
【００２４】
積層しているカードから先頭のカードをピックアップするカードの送り出しにおいて、カードピックアップ時に、カード集積部のカード同士の張り付き力を軽減させ、重送の不具合が無いカード送り出しを行うカード供給装置を提供できる。
【００２５】
＜実施形態２＞
また、本発明のカード供給装置の別の実施形態について添付図面を参照して説明する。
【００２６】
図２は本発明のカード供給装置１０１の実施形態を示す概略断面図である。
【００２７】
カード供給装置１０１は、カード１が密接するカード集積部２を内包するカードホッパー部３と、カード集積部２の先端部のカード１に接している搬送爪２５から構成される搬送部２６と、搬送爪２５の外壁に接続される超音波振動発生機４１と、カード排出口９から構成される。
【００２８】
カードホッパー部３の中のカード集積部２においてカード１が積層しており、先頭のカード１にはカード搬送部２６の搬送爪２５が接している。
【００２９】
搬送爪２５には超音波振動発生機４１が接続されており、超音波振動を搬送爪２５に与える。
【００３０】
搬送爪２５はカード１の厚みよりも少ない高さの爪を有しており、爪でカード１端部に接し、搬送爪２５は、カード１を載せながら、爪でカード１端部を押し、カードを搬送し、カードプリンター本体３０に、カード排出口９から、カード１を供給する。
【００３１】
搬送爪２５は接続される超音波振動発生機４１より超音波振動が伝播され、搬送爪２５に接しているカード１にも超音波が伝播する。隣接したカード１の張り付きを振動により軽減することができる。
【００３２】
搬送爪２５によって、カード１をカードピックアップするときに、隣接しているカード１には、カードホッパー部３の外壁に接続されている超音波振動発生機４１からの超音波振動が伝播され、隣接したカード１の張り付きを振動により軽減することができる。
【００３３】
積層しているカードから先頭のカードをピックアップするカードの送り出しにおいて、カードピックアップ時に、カード集積部のカード同士の張り付き力を軽減させ、重送の不具合が無いカード送り出しを行うカード供給装置を提供できる。
【００３４】
＜実施形態３＞
また、本発明のカード供給装置の別の実施形態について添付図面を参照して説明する。
【００３５】
図３は本発明のカード供給装置１０２の実施形態を示す概略断面図である。
【００３６】
カード供給装置１０２は、カード１が密接するカード集積部２を内包するカードホッパー部３と、カード集積部２の先端部のカード１に接している搬送ローラー５から構成される搬送部２６と、搬送ローラー５の軸であるローラー軸６に接続される超音波振動発生機４２と、カード集積部２の後端のカード１を付勢力２２によって押圧する押さえ板２１からなるカード押圧部２０と、カード排出口９から構成される。
【００３７】
カードホッパー部３の中のカード集積部２においてカード１が積層しており、先頭のカード１にはカード搬送部２６の搬送ローラー５が押圧しながら接している。
【００３８】
先頭のカード１にはカード搬送部２６の搬送ローラー５が押圧しながら回転することにより、カードプリンター本体３０に、カード排出口９から、カード１を供給する。
【００３９】
カード押圧部２０は、付勢力２２によってカード集積部２の後端を押さえ板２１によって押圧し、カード１同士を密着させながら、カード集積部２のカード１群を、カード排出口９側に寄せる。
【００４０】
搬送ローラー５の軸であるローラー軸６には超音波振動発生機４２が接続されており、超音波振動をローラー軸６に与える。
【００４１】
カード集積部２の先端部のカード１に接している搬送ローラー５は、カード１に接しながら、摩擦力で、カード１を搬送させ、次工程である例えばカードプリンター本体３０に、カード排出口９からカードを供給する。
【００４２】
搬送ローラー５によって、カード１をカードピックアップするときに、搬送ローラー５は、超音波振動発生機４２の振動が、ローラー軸６を伝播して、振動しており、接するカード１にも振動が伝わり、カード集積部のカード同士の張り付き力を軽減し、重送の不具合が無いカード送り出しをする。
【００４３】
積層しているカードから先頭のカードをピックアップするカードの送り出しにおいて、カードピックアップ時に、カード集積部のカード同士の張り付き力を軽減させ、重送の不具合が無いカード送り出しを行うカード供給装置を提供できる。
【００４４】
＜実施形態４＞
また、本発明のカード供給装置の別の実施形態について添付図面を参照して説明する。
【００４５】
図４は本発明のカード供給装置１０３の実施形態を示す概略断面図である。
【００４６】
カード供給装置１０３は、カード１が密接するカード集積部２を内包するカードホッパー部３と、カード集積部２の先端部のカード１に接している搬送ローラー５から構成される搬送部２６と、搬送ローラー５の軸であるローラー軸６に接続される超音波振動発生機４２と、カード集積部２の後端を付勢力２２によって押圧する押さえ板２１からなるカード押圧部２０と、押さえ板２１に接続する超音波振動発生機４３と、カード排出口９から構成される。
【００４７】
カードホッパー部３の中のカード集積部２においてカード１が積層しており、先頭のカ
ード１にはカード搬送部２６の搬送ローラー５が押圧しながら接している。
【００４８】
先頭のカード１にはカード搬送部２６の搬送ローラー５が押圧しながら回転することにより、カードプリンター本体３０に、カード排出口９から、カード１を供給する。
【００４９】
カード押圧部２０は、付勢力２２によってカード集積部２の後端を押さえ板２１によって押圧し、カード１同士を密着させながら、カード集積部２のカード１群を、カード排出口９側に寄せる。
【００５０】
搬送ローラー５の軸であるローラー軸６には超音波振動発生機４２が接続されており、超音波振動をローラー軸６に与える。その振動は搬送ローラー５にも伝播し、搬送ローラー５が接しているカード集積部２の先端部のカード１にも伝播する。
【００５１】
押さえ板２１には、超音波振動発生機４３が接続されており、振動はカード集積部２の後端のカード１にも伝播する。
【００５２】
カード集積部２の先端部のカード１に接している搬送ローラー５は、カード１に接しながら、摩擦力で、カード１を搬送させ、次工程である例えばカードプリンター本体３０に、カード排出口９からカードを供給する。
【００５３】
搬送ローラー５によって、カード１をカードピックアップするときに、搬送ローラー５は、超音波振動発生機４２の振動が、ローラー軸６を伝播して、振動しており、接するカード１にも振動が伝わり、カード集積部のカード同士の張り付き力を軽減し、重送の不具合が無いカード送り出しをする。
【００５４】
超音波振動発生機４３が接続されている押さえ板２１は、振動し、振動はカード集積部２の後端のカード１にも伝播する。カード集積部のカード同士の張り付き力を軽減する。
【００５５】
積層しているカードから先頭のカードをピックアップするカードの送り出しにおいて、カードピックアップ時に、カード集積部のカード同士の張り付き力を軽減させ、重送の不具合が無いカード送り出しを行うカード供給装置を提供できる。
【符号の説明】
【００５６】
１・・・カード
２・・・カード集積部
３・・・カードホッパー部
５・・・搬送ローラー
６・・・ローラー軸
７・・・弾性材料
８・・・カード搬送部
９・・・カード排出口
２０・・・カード押圧部
２１・・・押さえ板
２２・・・付勢力
２５・・・搬送爪
２６・・・カード搬送部
３０・・・カードプリンター本体
４０・・・超音波振動発生機
４１・・・超音波振動発生機
４２・・・超音波振動発生機
４３・・・超音波振動発生機
５５・・・搬送ローラー
１００・・・カード供給装置
１０１・・・カード供給装置
１０２・・・カード供給装置
１０３・・・カード供給装置
２００・・・カード供給装置
２０１・・・カード供給装置
【図１】
2019085240.tif 000003
【図２】
2019085240.tif 000004
【図３】
2019085240.tif 000005
【図４】
2019085240.tif 000006
【図５】
2019085240.tif 000007
【図６】
2019085240.tif 000008